(57)【要約】【課題】  オーディオ信号の補正に用いられる補正用データの誤設定を回避する。【解決手段】  パラメトリックイコライザモード及びバス／トレブルモードの双方においてユーザにより変更可能であり、且つ、オーディオ信号の特性の補正に用られる補正用データを一時的に記憶するＲＡＭ３１と、ＲＡＭ３１に読み込むための補正用データを予め更新可能に記憶しているＥＥＰＲＯＭ３２とを備え、ＣＰＵ３０が、ＥＥＰＲＯＭ３２に記憶されている補正用データの値を、ＲＡＭ３１に記憶されている補正用データの値で更新し、バス／トレブルモードにおいてＥＥＰＲＯＭ３２に記憶されている補正用データの値の更新を禁止する。【選択図】      図３
2005197863.tif 000002
【特許請求の範囲】
【請求項１】
複数の周波数帯域でオーディオ信号の特性を補正するパラメトリックイコライザモード、或いは、前記複数の周波数帯域のうち、所定の低周波帯域および所定の高周波帯域の特性を補正するバス／トレブルモードに切り換えるモード切換手段と、
前記パラメトリックイコライザモード及び前記バス／トレブルモードの双方においてユーザにより変更可能であり、且つ、前記オーディオ信号の特性の補正に用られる補正用データを一時的に記憶する第１記憶手段と、
前記第１記憶手段に読み込むための補正用データを予め更新可能に記憶している第２記憶手段と、
前記第２記憶手段に記憶されている補正用データの値を、前記第１記憶手段に記憶されている補正用データの値で更新する書換手段と、
前記バス／トレブルモードにおいて前記書換手段による前記第２記憶手段に記憶されている補正用データの値の更新を禁止する禁止手段と、
を備えたことを特徴とするオーディオ装置。
【請求項２】
請求項１に記載のオーディオ装置において、
前記第１記憶手段は、前記パラメトリックイコライザモード及び前記バス／トレブルモードで前記オーディオ信号の特性の補正に用いられる共通補正用データを記憶し、
前記第２記憶手段は、前記第１記憶手段に読み込むための共通補正用データを予め記憶し、
前記書換手段は、前記パラメトリックイコライザモード及び前記バス／トレブルモードの双方において、前記第２記憶手段に記憶されている共通補正用データの値を、前記第１記憶手段に記憶されている共通補正用データの値で更新することを特徴とするオーディオ装置。
【請求項３】
請求項２に記載のオーディオ装置において、
前記モード切換手段により前記パラメトリックイコライザモードから前記バス／トレブルモードに切り換えられた場合に、前記第１記憶手段における前記補正用データの値が待避される第１待避手段と、
前記モード切換手段により前記バス／トレブルモードから前記パラメトリックイコライザモードに切り換えられた場合に、前記第１記憶手段における前記補正用データの値が待避される第２待避手段と、を備え、
前記モード切換手段により前記バス／トレブルモードに切り換えられた場合に、前記第１記憶手段における補正用データの値を、前記第２待避手段に待避されている補正用データの値で更新し、
前記モード切換手段により前記パラメトリックイコライザモードに切り換えられた場合に、前記第１記憶手段における補正用データの値を、前記第１待避手段に待避されている補正用データの値で更新することを特徴とするオーディオ装置。
【請求項４】
請求項３に記載のオーディオ装置において、
前記第２記憶手段から前記第１記憶手段に補正用データを読み込む読込手段を備え、
この読込手段は、前記モード切換手段により前記バス／トレブルモードに切り換えられている場合には、前記第２記憶手段に記憶されている補正用データの値を、前記第１待避手段に待避させるとともに、前記第１記憶手段に記憶されている補正用データの値は、そのまま保持することを特徴とするオーディオ装置。
【請求項５】
複数の周波数帯域でオーディオ信号の特性を補正するパラメトリックイコライザモード、或いは、前記複数の周波数帯域のうち、所定の低周波帯域および所定の高周波帯域の特性を補正するバス／トレブルモードに切り換えるモード切換過程と、
前記パラメトリックイコライザモード及び前記バス／トレブルモードの双方においてユーザにより変更可能であり、且つ、前記オーディオ信号の特性の補正に用られる補正用データを一時的に第１記憶手段に記憶する第１記憶過程と、
前記第１記憶手段に読み込むための補正用データを予め更新可能な第２記憶手段に記憶する第２記憶過程と、
前記第２記憶手段に記憶されている補正用データの値を、前記第１記憶手段に記憶されている補正用データの値で更新する書換過程と、
前記バス／トレブルモードにおいて前記書換過程による前記第２記憶手段に記憶されている補正用データの値の更新を禁止する禁止過程と、
を備えたことを特徴とするオーディオ装置の制御方法。
【請求項６】
オーディオ装置をコンピュータにより制御するための制御プログラムにおいて、
複数の周波数帯域でオーディオ信号の特性を補正するパラメトリックイコライザモード、或いは、前記複数の周波数帯域のうち、所定の低周波帯域および所定の高周波帯域の特性を補正するバス／トレブルモードに切り換えさせ、
前記パラメトリックイコライザモード及び前記バス／トレブルモードの双方においてユーザにより変更可能であり、且つ、前記オーディオ信号の特性の補正に用られる補正用データを一時的に第１記憶手段に記憶させ、
前記第１記憶手段に読み込むための補正用データを予め更新可能な第２記憶手段に記憶させ、
前記第２記憶手段に記憶されている補正用データの値を、前記第１記憶手段に記憶されている補正用データの値で更新させ、
前記バス／トレブルモードにおいて前記第２記憶手段に記憶されている補正用データの値の更新を禁止させる、
ことを特徴とする制御プログラム。
【請求項７】
請求項６に記載の制御プログラムを記録したことを特徴とするコンピュータ読取可能な記録媒体。
【発明の詳細な説明】
【技術分野】
【０００１】
パラメトリックイコライザモード或いはバス／トレブルモードに切換可能なオーディオ装置、オーディオ装置の制御方法、制御プログラム及び記録媒体に関する。
【背景技術】
【０００２】
従来、複数の周波数帯域のそれぞれにおいてオーディオ信号の特性を補正するパラメトリックイコライザの機能を有しているオーディオ装置が知られている（例えば、特許文献１参照）。
【０００３】
このようなオーディオ装置では、通常、オーディオ信号の特性の補正に用られる補正用データを、ＲＡＭ等の記憶領域に一時的に格納し、この一時的に格納した補正用データの値に基いて、オーディオ信号を補正するように構成されている。そして、このオーディオ装置では、補正用データが予め保存されており、ユーザの操作によって、この保存されている補正用データの値を上記記憶領域に読み出したり、又は変更した上記記憶領域の補正用データの値で、保存されている補正用データを更新したりすることができるように構成されている。
【特許文献１】特開平８−３１０３１２号公報
【発明の開示】
【発明が解決しようとする課題】
【０００４】
ところで、上記オーディオ装置において、音響効果の向上を図るべく、パラメトリックイコライザの機能に付随して、複数の周波数帯域のうち、所定の低周波帯域および所定の高周波帯域の特性を補正するバス／トレブル機能を備え、パラメトリックイコライザの機能とバス／トレブル機能とをユーザにより切り換え可能に構成する場合、上記記憶領域を有効に利用するために、バス／トレブルとして機能させる際に、このバス／トレブル機能用の補正用データを、上記記憶領域に読み込むように構成するのが望ましい。
【０００５】
しかしながら、このようなオーディオ装置において、バス／トレブルとして機能している場合に、記憶領域に記憶されている補正用データの値で、保存しているパラメトリックイコライザ機能用の補正用データの値を更新してしまうと、バス／トレブル機能用の補正用データの値に更新されてしまうこととなり、パラメトリックイコライザとして機能させたいときに、この更新された補正用データの値を読み出してしまうと、バス／トレブル機能用の補正用データの値に誤設定されてしまうという問題がある。
【０００６】
そこで、本発明の目的は、上述した従来の技術が有する課題を解消し、オーディオ信号の補正に用いられる補正用データの誤設定を回避することができるオーディオ装置、オーディオ装置の制御方法、制御プログラム及び記録媒体を提供することにある。
【課題を解決するための手段】
【０００７】
上記課題を解決するため、本発明は、複数の周波数帯域でオーディオ信号の特性を補正するパラメトリックイコライザモード、或いは、前記複数の周波数帯域のうち、所定の低周波帯域および所定の高周波帯域の特性を補正するバス／トレブルモードに切り換えるモード切換手段と、前記パラメトリックイコライザモード及び前記バス／トレブルモードの双方においてユーザにより変更可能であり、且つ、前記オーディオ信号の特性の補正に用られる補正用データを一時的に記憶する第１記憶手段と、前記第１記憶手段に読み込むための補正用データを予め更新可能に記憶している第２記憶手段と、前記第２記憶手段に記憶されている補正用データの値を、前記第１記憶手段に記憶されている補正用データの値で更新する書換手段と、前記バス／トレブルモードにおいて前記書換手段による前記第２記憶手段に記憶されている補正用データの値の更新を禁止する禁止手段と、を備えたことを特徴とするものである。
【０００８】
このオーディオ装置において、前記第１記憶手段は、前記パラメトリックイコライザモード及び前記バス／トレブルモードで前記オーディオ信号の特性の補正に用いられる共通補正用データを記憶し、前記第２記憶手段は、前記第１記憶手段に読み込むための共通補正用データを予め記憶し、前記書換手段は、前記パラメトリックイコライザモード及び前記バス／トレブルモードの双方において、前記第２記憶手段に記憶されている共通補正用データの値を、前記第１記憶手段に記憶されている共通補正用データの値で更新するようにしてもよい。
【０００９】
また、上記オーディオ装置において、前記モード切換手段により前記パラメトリックイコライザモードから前記バス／トレブルモードに切り換えられた場合に、前記第１記憶手段における前記補正用データの値が待避される第１待避手段と、前記モード切換手段により前記バス／トレブルモードから前記パラメトリックイコライザモードに切り換えられた場合に、前記第１記憶手段における前記補正用データの値が待避される第２待避手段と、を備え、前記モード切換手段により前記バス／トレブルモードに切り換えられた場合に、前記第１記憶手段における補正用データの値を、前記第２待避手段に待避されている補正用データの値で更新し、前記モード切換手段により前記パラメトリックイコライザモードに切り換えられた場合に、前記第１記憶手段における補正用データの値を、前記第１待避手段に待避されている補正用データの値で更新するようにしてもよい。
【００１０】
更に、上記オーディオ装置において、前記第２記憶手段から前記第１記憶手段に補正用データを読み込む読込手段を備え、この読込手段は、前記モード切換手段により前記バス／トレブルモードに切り換えられている場合には、前記第２記憶手段に記憶されている補正用データの値を、前記第１待避手段に待避させるとともに、前記第１記憶手段に記憶されている補正用データの値は、そのまま保持するようにしてもよい。
【００１１】
また、複数の周波数帯域でオーディオ信号の特性を補正するパラメトリックイコライザモード、或いは、前記複数の周波数帯域のうち、所定の低周波帯域および所定の高周波帯域の特性を補正するバス／トレブルモードに切り換えるモード切換過程と、前記パラメトリックイコライザモード及び前記バス／トレブルモードの双方においてユーザにより変更可能であり、且つ、前記オーディオ信号の特性の補正に用られる補正用データを一時的に第１記憶手段に記憶する第１記憶過程と、前記第１記憶手段に読み込むための補正用データを予め更新可能な第２記憶手段に記憶する第２記憶過程と、前記第２記憶手段に記憶されている補正用データの値を、前記第１記憶手段に記憶されている補正用データの値で更新する書換過程と、前記バス／トレブルモードにおいて前記書換過程による前記第２記憶手段に記憶されている補正用データの値の更新を禁止する禁止過程と、を備えたことを特徴とするものである。
【００１２】
また、オーディオ装置をコンピュータにより制御するための制御プログラムにおいて、複数の周波数帯域でオーディオ信号の特性を補正するパラメトリックイコライザモード、或いは、前記複数の周波数帯域のうち、所定の低周波帯域および所定の高周波帯域の特性を補正するバス／トレブルモードに切り換えさせ、前記パラメトリックイコライザモード及び前記バス／トレブルモードの双方においてユーザにより変更可能であり、且つ、前記オーディオ信号の特性の補正に用られる補正用データを一時的に第１記憶手段に記憶させ、前記第１記憶手段に読み込むための補正用データを予め更新可能な第２記憶手段に記憶させ、前記第２記憶手段に記憶されている補正用データの値を、前記第１記憶手段に記憶されている補正用データの値で更新させ、前記バス／トレブルモードにおいて前記第２記憶手段に記憶されている補正用データの値の更新を禁止させる、ことを特徴とするものである。
【００１３】
また、コンピュータ読取可能な記録媒体が、上記制御プログラムを記録したことを特徴とするものである。
【発明の効果】
【００１４】
本発明によれば、オーディオ信号の補正に用いられる補正用データの誤設定を回避することができる。
【発明を実施するための最良の形態】
【００１５】
以下、図面を参照しつつ本発明の実施の形態について説明する。本実施の形態では、オーディ装置の一態様として、車両等に搭載される車載オーディオ装置について例示する。図１は、本実施の形態に係る車載オーディオ装置１の機能的構成を示すブロック図であり、図２は、その外観を示す正面図である。
【００１６】
先ず、図２に示すように、車載オーディオ装置１の正面には、フロントパネル１ａが装着されている。そのフロントパネル１ａの上方には、ＣＤ（Compact Disc）の挿入口２４が形成され、この挿入口からＣＤを挿入可能になされている。また、フロントパネル１ａの略中央には、液晶ディスプレイや有機ＥＬ（Electro Luminescence）ディスプレイ等の表示パネル１３ａが設けられ、この表示パネル１３ａに、当該車載オーディ装置１の動作状態や、再生中のＣＤトラック番号、再生楽曲名、ラジオ等の受信チャンネルといった各種情報が表示される。
【００１７】
上記表示パネル１３ａの左側には、ボリューム（音量）を調節するための回転操作子であるボリュームスイッチ２０が配設されている。このボリュームスイッチ２０には、押下式スイッチの機能が重畳されており、ボリュームスイッチ２０が押下された場合には、再生音のミュート（MUTE:消音）が行われるように構成されている。
【００１８】
また、上記ボリュームスイッチ２０の左下方には、押下式スイッチであるアジャストスイッチ２１が配設されると共に、ボリュームスイッチ２０の左上方には、同じく押下式スイッチである動作モードスイッチ２３が配設されている。アジャストスイッチ２１は、当該車載オーディオ装置１の各種調整を行うためのアジャスト画面を表示パネル１３ａに表示させる際に操作されるものであり、特に、本実施の形態では、再生音に関する各種の設定についても、このアジャストスイッチ２１を操作することにより行われる。
【００１９】
上記動作モードスイッチ２３は、当該車載オーディオ装置１の動作モードを切り替える際に操作されるものである。
【００２０】
上記表示パネル１３ａの右側には、第１〜第３操作キー２２ａ〜２２ｃの３つが併設された操作キー２２が配設されている。これら３つの第１〜第３操作キー２２ａ〜２２ｃは、縦長のキー形状を有するシーソー式のスイッチとなっており、本実施の形態では、第１〜第３操作キー２２ａ〜２２ｃの上部、或いは、下部を押圧することにより、それぞれのプリセット機能が実行されるように構成されている。
【００２１】
具体的には、第１操作キー２２ａの上部が押圧された場合、ＣＤ再生時あるいはＣＤオートチェンジャが外部機器として接続されているときには、スキャン（ＳＣＮ）キーとして機能し、アジャスト画面表示時には、カーソルを左方向（あるいは上位階層）に移動させるキーとして機能する。一方、第１操作キー２２ａの下部が押圧された場合、ＣＤオートチェンジャが外部機器として接続されているときには、複数のディスクを順方向に順次切り替えるキーとして機能し、アジャスト画面表示時には、カーソルを下方向（あるいは同一階層で次の項目）に移動させるキーとして機能する。
【００２２】
また、第２操作キー２２ｂの上部が押圧された場合、ＣＤ再生時あるいはＣＤオートチェンジャが外部機器として接続されているときは、リピート再生（ＲＰＴ）キーとして機能し、アジャスト画面表示時には、カーソルを右方向（あるいは下位階層）に移動させるキーとして機能する。一方、第２操作キー２２ｂの下部が押圧された場合、ＣＤオートチェンジャが外部機器として接続されている場合には、複数のディスクを逆方向に順次切り替えるキーとして機能し、アジャスト画面表示時には、カーソルを上方向（あるいは同一階層で前の項目）に移動させるキーとして機能する。
【００２３】
また、第３操作キー２２ｃの上部が押圧された場合、ＣＤ再生時あるいはＣＤオートチェンジャが外部機器として接続されているときは、ランダム再生（ＲＤＭ）キーとして機能する。一方、第３操作キー２２ｃの下部が押圧された場合、ユーザがあらかじめプリセットした機能（初期状態では、割り当て無し）が実行される。
【００２４】
また、表示パネル１３ａの左下方には、表示パネル１３ａの表示オン／表示オフをユーザが切り替えるためのディスプレイキー２５が配設されている。ここで、表示オフとは、単に表示パネル１３ａにおける表示を行わないばかりでなく、表示パネル１３ａを駆動するドライバ回路への電源供給が遮断される状態をいう。従って、例えばＣＤ再生中に表示オフとすることが可能となり、これにより、表示パネル１３ａを駆動するための電気信号がノイズとなって再生信号に混入するといったことが防止可能となる。
【００２５】
さらにまた、表示部１３の左下方には、表示部１３における表示オン／オフをユーザが切り換えるためのディスプレイキー２５が配置されている。
【００２６】
なお、当該車載オーディオ装置１のフロントパネル１ａには、上記構成要素の他にも、電源オン／オフ兼ファンクションキー、サーチアップキー、プレイ／ポーズ兼入力確定（ＥＮＴ）キー、サーチダウンキー、バンド切替（ラジオ受信時）／先頭曲移動（ＣＤ再生時）／先頭ディスク移動（ＣＤチェンジャ再生時）キーが配設されている。
【００２７】
本実施の形態の車載オーディオ装置１は、再生する音の周波数帯域をハイレンジ、ミドルレンジ、ロウレンジ及びサブウーファの４つに分類し、さらに、夫々の周波数帯域の音をステレオ再生可能に構成され、図１に示すように、これらの周波数帯域の信号（再生アナログ信号）の各々を図示せぬスピーカに出力するためのアナログ端子出力部８を備えている。
【００２８】
次いで、当該車載オーディオ装置１の電気的構成について詳述する。図１に示すように、車載オーディオ装置１は、装置の各部を制御するコントローラ１１を備えている。コントローラ１１は、マイクロコンピュータ等で構成される。また、このコントローラ１１には、上述した操作キー２２やボリュームスイッチ２０等の各種の操作キー及び操作スイッチを備える操作部１２が接続されており、ユーザの操作部１２に対する各種の操作は、コントローラ１１に入力され、この入力に応じてコントローラ１１が処理を実行する。さらにまた、コントローラ１１には、上記表示パネル１３ａや、この表示パネル１３ａを駆動するためのドライバ回路（不図示）等を備えた表示部１３が接続されており、この表示部１３は、コントローラ１１の制御の下、当該車載オーディオ装置１の動作状態や、再生楽曲、受信ラジオチャンネル等の各種情報を表示する。
【００２９】
また、車載オーディオ装置１は、ＣＤに記録されているデジタル信号（例えば楽曲信号等）を読み取り、デジタルインターフェース３を介してＤＳＰ（Digital signal Processor）４に出力する、デジタルオーディオソースとしてのＣＤドライブ２を内蔵している。デジタルインターフェース３は、ＣＤドライブ２とシリアル信号接続されると共にＤＳＰ４とパラレル信号接続され、ＣＤドライブ２からのデジタル信号を、ステレオ再生用のＬチャンネルとＲチャンネルからなる２チャンネルのパラレル信号に変換してＤＳＰ４に出力する。
【００３０】
ＤＳＰ４は、入力された２チャンネルのデジタル信号を再生する再生手段として機能し、入力されたデジタル信号から上記ハイレンジスピーカ用、ミドルレンジスピーカ用、ロウレンジスピーカ用及びサブウーファ用に、各々２チャンネル（Ｒチャンネル、Ｌチャンネル）の合計８つのデジタル信号を生成すると共に、これら８つのチャンネルの信号の各々に対して、コントローラ１１の制御の下、フィルタリング、ゲイン設定などのイコライジング処理、アライメント（ディレイ時間）等のサラウンド処理を施し、Ｄ／Ａコンバータ（ＤＡＣ）５に出力する。
【００３１】
ここで、本実施の形態のＤＳＰ４には、ピーキングイコライザ（Peaking Equalizer）を複数備えたパラメトリックイコライザ（Parametric Equalizer）と、ハイレンジ用、ミドルレンジ用、ロウレンジ用及びサブウーファ用の４つの周波数帯域ごとに、通過帯域の周波数（カットオフ周波数）や周波数帯域幅（クロスオーバー）、利得を調整するフィルタ回路とが設けられており、上記パラメトリックイコライザのパラメータや、各フィルタ回路のパラメータを、再生音の音場補正調整のためにユーザが調整可能に構成されている。
【００３２】
さて、上記Ｄ／Ａコンバータ５は、ＤＳＰ４から出力された８チャンネル分のデジタル信号の各々を、アナログ信号に変換して電子ボリューム６に出力するものである。電子ボリューム６は、入力された８つのアナログ信号のゲインを、コントローラ１１の制御の下、個別に調整し、ミュート回路７を介してアナログ出力端子部８に出力するものである。
【００３３】
一方、ミュート回路７は、コントローラ１１の制御の下、８つのアナログ信号の全てをミュート（消音）状態とし、或いは、そのままの状態で出力する。すなわち、全チャンネルの消音は、ミュート回路７により行われ、チャンネルごとの個別の音量調整は、電子ボリューム６により行われる。
【００３４】
また、この車載オーディオ装置１は、デジタルオーディオソースの他に、アナログオーディオソースたるチューナ９を備えている。チューナ９は、ラジオ放送等の放送電波を受信してアナログ信号を出力するものであり、このアナログ信号は、セレクタ１０を介してＤＳＰ４に入力される。ＤＳＰ４は、図示せぬＡ／Ｄ変換回路を内蔵し、アナログ信号が入力された場合には、これをデジタル信号に変換し、上記のように各種の音場効果を付与した後にＤ／Ａコンバータ５に出力する。上記セレクタ１０は、コントローラ１１の指示の下、ＤＳＰ４に入力すべきアナログオーディオソースの信号を選択するものである。
【００３５】
また、車載オーディオ装置１は、外部機器との間でデータを送受するための端子として、外部機器接続端子１６と光入出力端子１５とを備えている。
【００３６】
図３は、コントローラ１１の構成を示すブロック図である。
【００３７】
コントローラ１１は、ＣＰＵ（Central Processing Unit）３０、ＲＡＭ（Random Access Memory）３１及びＥＥＰＲＯＭ（Electrically Erasable and Programmable ROM）３２などから構成され、ＥＥＰＲＯＭ３２に記憶された制御プログラムに従って車載オーディオ装置１の動作を中枢的に制御する。
【００３８】
ＲＡＭ３１は、ＣＰＵ３０によりＥＥＰＲＯＭ３２から読み出された制御プログラムやデータなどを一時的に格納するメモリである。また、ＥＥＰＲＯＭ３２には、各種制御プログラム及び各種データなどが記憶されている。
【００３９】
図４は、ＤＳＰ４の構成を示す機能ブロック図である。
【００４０】
ＤＳＰ４（オーディオ信号処理手段）は、ＬチャンネルとＲチャンネルからなる２チャンネルのディジタル音声信号（オーディオ信号）を入力し、各チャンネル毎に周波数軸上を複数（本実施形態では、５バンド）に分割し、分割した各周波数帯域毎に、入力したオーディオ信号の特性を補正する複数（本実施形態では５つ）のＬチャンネルイコライザ部４０−１〜４０−５と、複数（本実施形態では５つ）のＲチャンネルイコライザ部４１−１〜４１−５とを備えている。なお、図４中、複数のＬチャンネルイコライザ部４０−１〜４０−５は、Ｌｃｈ−ＥＱＢＡＮＤ１〜５で示し、複数のＲチャンネルイコライザ部４１−１〜４１−５は、Ｒｃｈ−ＥＱＢＡＮＤ１〜５で示している。
【００４１】
更に、ＤＳＰ４は、Ｒ及びＬチャンネルイコライザ部４０−１〜４０−５、４１−１〜４１−５により補正されたＬ及びＲチャンネルのオーディオ信号に対して、ハイレンジスピーカ用、ミドルレンジスピーカ用、ロウレンジスピーカ用及びサブウーファ用に、各々２チャンネルの合計８つのオーディオ信号を生成すべく、タイムアライメントを調整する。
【００４２】
具体的には、ハイレンジのＬチャンネルについて説明すると、ローパスフィルタ（図４中、ＨＩＧＨ−ＬＰＦ）４２−１、及びハイパスフィルタ（図４中、ＨＩＧＨ−ＨＰＦ）４３−１を備えて、高域（ハイレンジに対応している周波数帯域）のバンドパスフィルタを形成し、更にタイムアライメントを調整するタイムアライメント部（図４中、ＨＩＧＨ−Ｌｃｈ−ＤＥＬＡＹ）４４−１を備えている。これらローパスフィルタ４２−１、ハイパスフィルタ４３−１及びタイムアライメント部４４−１により、ハイレンジにおけるＬチャンネルのオーディオ信号（ディジタル信号）がＤ／Ａコンバータ５に出力される。
【００４３】
同様に、ローパスフィルタ４２−２〜４２−８、ハイパスフィルタ４３−２〜４３−８及びタイムアライメント部４４−２〜４４−８を備えて、ハイレンジに対応している周波数帯域のＲチャンネルのオーディオ信号、ミドルレンジに対応している周波数帯域のＬ、Ｒチャンネルのオーディオ信号、ロウレンジに対応している周波数帯域のＬ、Ｒチャンネルのオーディオ信号及びサブウーファレンジに対応している周波数帯域のＬ、Ｒチャンネルのオーディオ信号がＤ／Ａコンバータ５に出力される。
【００４４】
本実施形態では、ＤＳＰ４は、複数（５つ）の周波数帯域でオーディオ信号の特性を補正するパラメトリックイコライザとしての機能するパラメトリックイコライザモード（以下、「Ｐ．ＥＱモード」という。）、或いは、複数（５つ）の周波数帯域のうち、所定の低周波帯域および所定の高周波帯域の特性を補正するバス／トレブルとしての機能するバス／トレブルモード（以下、「ＢＡＳＳ／ＴＲＥＢモード」という。）とのいずれか一方にコントローラ１１により切り換えられる。例えば、図１に示す、動作モードスイッチ２３により切換可能に構成されている。
【００４５】
具体的に説明すると、Ｌチャンネルイコライザ部４０−１〜４０−５及びＲチャンネルイコライザ部４１−１〜４１−５をユーザにより調整可能なピーキングイコライザとして機能させてパラメトリックイコライザとして機能させるＰ．ＥＱモードと、所定の低周波帯域に対応するＲ、Ｌチャンネルイコライザ部４０−１、４１−１をユーザにより調整可能に機能させるとともに、所定の高周波帯域に対応するＲ、Ｌチャンネルイコライザ部４０−３、４１−３をユーザにより調整可能に機能させ、残りのＲ、Ｌチャンネルイコライザ部４０−２、４０−４、４０−５、４１−２、４１−４、４１−５を機能させない（つまり、オーディオ信号の調整を行わない）ＢＡＳＳ／ＴＲＥＢモードとのいずれか一方にコントローラ１１により切り換えられる。
【００４６】
図５乃至図７は、コントローラ１１におけるＲＡＭ３１及びＥＥＰＲＯＭ３２に記憶されるオーディオ信号の特性の補正に用られる補正用データを示す説明図である。
【００４７】
補正用データとしては、各Ｌ、Ｒチャンネルイコライザ部４０−１〜４０−５、４１−１〜４１−５（図４）においてオーディオ信号を補正するために用いられる中心周波数ｆ０、利得Ｇ及び選択度Ｑのデータと、ローパスフィルタ４２−１〜４２−８及びハイパスフィルタ４３−１〜４３−８（図４）においてオーディオ信号を補正するために用いられるフィルタ特性のデータと、タイムアライメント部４４−１〜４４−８においてオーディオ信号を補正するために用いられるディレイ時間に関するデータとがある。フィルタ特性のデータとしては、ローパスフィルタ４２−１〜４２−８（図４）においてオーディオ信号を補正するために用いられるカットオフ周波数ｆｃｌ及び減衰傾度ｓｌのデータ、ハイパスフィルタ４３−１〜４３−８（図４）においてオーディオ信号を補正するために用いられるカットオフ周波数ｆｃｈ及び減衰傾度ｓｈのデータ、並びにローパスフィルタ４２−１〜４２−８及びハイパスフィルタ４３−１〜４３−８においてオーディオ信号を補正するために用いられる通過域における利得Ｇａ及びオーディオ信号の位相補正量を示す位相Ｐｈのデータとがある。
【００４８】
ＲＡＭ３１は、第１記憶手段として、ＤＳＰ４のＬ、Ｒチャンネルイコライザ部４０−１〜４０−５、４１−１〜４１−５で用いられる補正用データとしての中心周波数ｆ０、利得Ｇ及び選択度Ｑのデータを一時的に記憶するためのＥＱカレントメモリ３１Ａ（図５）と、ＤＳＰ４のローパスフィルタ４２−１〜４２−８及びハイパスフィルタ４３−１〜４３−８で用いられる補正用データとしてのフィルタ特性のデータを一時的に記憶するためのＸ−ＯＶＥＲカレントメモリ３１Ｂ（図６）と、タイムアライメント部４４−１〜４４−８で用いられる補正用データとしてのディレイ時間のデータを一時的に記憶するためのＴＩＭＥ−Ａカレントメモリ３１Ｃ（図７）とを備えている。
【００４９】
具体的に説明すると、ＥＱカレントメモリ３１Ａは、図５に示すように、各Ｌ、Ｒチャンネルイコライザ部４０−１〜４０−５、４１−１〜４１−５に対応するＥＱカレントメモリ部３１Ａ−１〜３１Ａ−１０を有し、各ＥＱカレントメモリ部３１Ａ−１〜３１Ａ−１０には、各Ｌ、Ｒチャンネルイコライザ部４０−１〜４０−５、４１−１〜４１−５で用いられる補正用データとしての中心周波数ｆ０、利得Ｇ及び選択度Ｑのデータが一時的に記憶される。
【００５０】
また、Ｘ−ＯＶＥＲカレントメモリ３１Ｂは、図６に示すように、ローパスフィルタ４２−１〜４２−８及びハイパスフィルタ４３−１〜４３−８からなるバンドパスフィルタに対応するＸ−ＯＶＥＲカレントメモリ部３１Ｂ−１〜３１Ｂ−４を有し、各Ｘ−ＯＶＥＲカレントメモリ部３１Ｂ−１〜３１Ｂ−４には、各ローパスフィルタ４２−１〜４２−８及び各ハイパスフィルタ４３−１〜４３−８で用いられる補正用データとしてのフィルタ特性（カットオフ周波数ｆｃｌ、ｆｃｈ、減衰傾度ｓｌ、ｓｈ、利得Ｇａ及び位相Ｐｈ）のデータが一時的に記憶される。
【００５１】
また、ＴＩＭＥ−Ａカレントメモリ３１Ｃは、図７に示すように、各タイムアライメント部４４−１〜４４−８に対応するＴＩＭＥ−Ａカレントメモリ部３１Ｃ−１〜３１Ｃ−８を有し、各ＴＩＭＥ−Ａカレントメモリ部３１Ｃ−１〜３１Ｃ−８には、ディレイ時間のデータが一時的に記憶される。
【００５２】
更に、ＲＡＭ３１は、Ｐ．ＥＱモードにおいてＤＳＰ４のＬ、Ｒチャンネルイコライザ部４０−１〜４０−５、４１−１〜４１−５で用いられる補正用データとしての中心周波数ｆ０、利得Ｇ及び選択度Ｑのデータが待避（記憶）される第１待避手段としてのＰ．ＥＱテンポラリメモリ３１Ｄと、ＢＡＳＳ／ＴＲＥＢモードにおいてＤＳＰ４のＬ、Ｒチャンネルイコライザ部４０−１、４０−３、４１−１、４１−３で用いられる補正用データとしての中心周波数ｆ０、利得Ｇ及び選択度Ｑのデータが待避（記憶）される第２待避手段としてのＢＡＳＳ／ＴＲＥＢテンポラリメモリ３１Ｅとを備えている。
【００５３】
具体的に説明すると、Ｐ．ＥＱテンポラリメモリ３１Ｄは、図５に示すように、各Ｌ、Ｒチャンネルイコライザ部４０−１〜４０−５、４１−１〜４１−５に対応するＰ．ＥＱテンポラリメモリ部３１Ｄ−１〜３１Ｄ−１０を有している。各Ｐ．ＥＱテンポラリメモリ部３１Ｄ−１〜３１Ｄ−１０には、各Ｌ、Ｒチャンネルイコライザ部４０−１〜４０−５、４１−１〜４１−５で用いられる補正用データとしての中心周波数ｆ０、利得Ｇ及び選択度Ｑのデータが待避（記憶）される。
【００５４】
また、ＢＡＳＳ／ＴＲＥＢテンポラリメモリ３１Ｅは、図５に示すように、各Ｌ、Ｒチャンネルイコライザ部４０−１及び４１−１に対応するＢＡＳＳテンポラリメモリ部３１Ｅ−１、並びに、各Ｌ、Ｒチャンネルイコライザ部４０−３及び４１−３に対応するＴＲＥＢテンポラリメモリ部３１Ｅ−２を有している。ＢＡＳＳテンポラリメモリ部３１Ｅ−１及びＴＲＥＢテンポラリメモリ部３１Ｅ−２のそれぞれには、各Ｌ、Ｒチャンネルイコライザ部４０−１、４１−１、４０−３、４１−３で用いられる補正用データとしての中心周波数ｆ０、利得Ｇ及び選択度Ｑのデータが待避（記憶）される。ここで、ＢＡＳＳテンポラリメモリ部３１Ｅ−１に待避される補正用データは、各Ｌ、Ｒチャンネルイコライザ部４０−１及び４１−１で共通に使用されるものであり、ＴＲＥＢテンポラリメモリ部３１Ｅ−２に待避される補正用データは、各Ｌ、Ｒチャンネルイコライザ部４０−３及び４１−３で共通に使用されるものである。
【００５５】
ここで、ＲＡＭ３１におけるＥＱカレントメモリ３１Ａ、Ｘ−ＯＶＥＲカレントメモリ３１Ｂ、ＴＩＭＥ−Ａカレントメモリ３１Ｃに記憶されている内容（補正用データの値）を示す信号が、ＣＰＵの制御の下、ＤＳＰ４に出力され、各Ｌ、Ｒチャンネルイコライザ部４０−１〜４０−５、４１−１〜４１−５、各ローパスフィルタ４２−１〜４２−８及び各ハイパスフィルタ４３−１〜４３−８、並びに各タイムアライメント部４４−１〜４４−８は、ＲＡＭ３１から入力した補正用データの値に基いてオーディオ信号を補正するものである。
【００５６】
また、ＲＡＭ３１におけるＥＱカレントメモリ３１Ａ、Ｘ−ＯＶＥＲカレントメモリ３１Ｂ、ＴＩＭＥ−Ａカレントメモリ３１Ｃに記憶されている内容（補正用データの値）は、Ｐ．ＥＱモード及びＢＡＳＳ／ＴＲＥＢモードの双方においてユーザにより変更可能に構成されている。例えば、図１に示す、アジャストスイッチ２１及び第１〜第３操作キー２２ａ〜２２ｃ等で、ＲＡＭ３１におけるＥＱカレントメモリ３１Ａ、Ｘ−ＯＶＥＲカレントメモリ３１Ｂ、ＴＩＭＥ−Ａカレントメモリ３１Ｃに記憶されている補正用データの値を変更することができるように構成されている。
【００５７】
また、本実施形態では、電源投入後における初期の状態においては、ＥＥＰＲＯＭ３２に記憶されている制御プログラムに基いて、ＲＡＭ３１におけるＥＱカレントメモリ３１Ａ、Ｘ−ＯＶＥＲカレントメモリ３１Ｂ、ＴＩＭＥ−Ａカレントメモリ３１Ｃ、Ｐ．ＥＱテンポラリメモリ３１Ｄ及びＢＡＳＳ／ＴＲＥＢテンポラリメモリ３１Ｅに補正用データの初期値が記憶され、各初期値がＤＳＰ４に出力されることとなる。
【００５８】
ＥＥＰＲＯＭ３２は、第２記憶手段として、ＲＡＭ３１のＥＱカレントメモリ３１Ａ或いはＰ．ＥＱテンポラリメモリ３１Ｄに読み込むための補正用データの値を更新可能に記憶するＰ．ＥＱメモリ［０］Ｍ１−１（図５）と、ＲＡＭ３１のＸ−ＯＶＥＲカレントメモリ３１Ｂに読み込むための補正用データの値を更新可能に記憶するＸ−ＯＶＥＲメモリ［０］Ｍ１−２（図６）と、ＲＡＭ３１のＴＩＭＥ−Ａカレントメモリ３１Ｃに読み込むための補正用データの値を更新可能に記憶するＴＩＭＥ−Ａメモリ［０］Ｍ１−３（図７）とを有するプリセットメモリを備えている。
【００５９】
本実施形態では、ＥＥＰＲＯＭ３２には、図５乃至図７に示すように、Ｐ．ＥＱメモリ［０］Ｍ１−１と、Ｘ−ＯＶＥＲメモリ［０］Ｍ１−２と、ＴＩＭＥ−Ａメモリ［０］Ｍ１−３とを備えたプリセットメモリと同様の構成のプリセットメモリを複数備えている。例えば、本実施形態では、３つのプリセットメモリを有し、それぞれ「ＭＥＭＯＲＹ１」、「ＭＥＭＯＲＹ２」、「ＭＥＭＯＲＹ３」と称する。つまり、プリセットメモリ「ＭＥＭＯＲＹ１」は、Ｐ．ＥＱメモリ［０］Ｍ１−１と、Ｘ−ＯＶＥＲメモリ［０］Ｍ１−２と、ＴＩＭＥ−Ａメモリ［０］Ｍ１−３とを備え、プリセットメモリ「ＭＥＭＯＲＹ２」は、Ｐ．ＥＱメモリ［１］Ｍ２−１と、Ｘ−ＯＶＥＲメモリ［１］Ｍ２−２と、ＴＩＭＥ−Ａメモリ［１］Ｍ２−３とを備え、プリセットメモリ「ＭＥＭＯＲＹ３」は、Ｐ．ＥＱメモリ［２］Ｍ３−１と、Ｘ−ＯＶＥＲメモリ［２］Ｍ３−２と、ＴＩＭＥ−Ａメモリ［２］Ｍ３−３とを備えている。
【００６０】
つまり、ＥＥＰＲＯＭ３２には、図５に示すように、Ｐ．ＥＱメモリ［０］Ｍ１−１のほかに、Ｐ．ＥＱメモリ［０］Ｍ１−１と同様の構成のＰ．ＥＱメモリ［１］Ｍ２−１及びＰ．ＥＱメモリ［２］Ｍ３−１が備えられている。また、ＥＥＰＲＯＭ３２には、図６に示すように、Ｘ−ＯＶＥＲメモリ［０］Ｍ１−２のほかに、Ｘ−ＯＶＥＲメモリ［０］Ｍ１−２と同様の構成のＸ−ＯＶＥＲメモリ［２］Ｍ２−２及びＸ−ＯＶＥＲメモリ［３］Ｍ３−２が備えられている。また、ＥＥＰＲＯＭ３２には、図７に示すように、ＴＩＭＥ−Ａメモリ［０］Ｍ１−３と同様の構成のＴＩＭＥ−Ａメモリ［１］Ｍ２−３及びＴＩＭＥ−Ａメモリ［２］Ｍ３−３が備えられている。
【００６１】
また、複数のＰ．ＥＱメモリ［０］Ｍ１−１、Ｐ．ＥＱメモリ［１］Ｍ２−１及びＰ．ＥＱメモリ［２］Ｍ３−１でＰ．ＥＱメモリ群３２Ａが構成され、複数のＸ−ＯＶＥＲメモリ［０］Ｍ１−２、Ｘ−ＯＶＥＲメモリ［１］Ｍ２−２及びＸ−ＯＶＥＲメモリ［２］Ｍ３−２でＸ−ＯＶＥＲメモリ群３２Ｂが構成され、複数のＴＩＭＥ−Ａメモリ［０］Ｍ１−３、ＴＩＭＥ−Ａメモリ［１］Ｍ２−３及びＴＩＭＥ−Ａメモリ［２］Ｍ３−３でＴＩＭＥ−Ａメモリ群３２Ｃが構成される。
【００６２】
Ｐ．ＥＱメモリ［０］Ｍ１−１は、図５に示すように、各ＥＱカレントメモリ部３１Ａ−１〜３１Ａ−１０、或いは、各Ｐ．ＥＱテンポラリメモリ部３１Ｄ−１〜３１Ｄ−１０に読み込むための補正用データを更新可能に記憶するＰ．ＥＱメモリ部３２Ａ−１〜３２Ａ−１０を備えている。
【００６３】
また、Ｘ−ＯＶＥＲメモリ［０］Ｍ１−２は、図６に示すように、各Ｘ−ＯＶＥＲカレントメモリ部３１Ｂ−１〜３１Ｂ−４に読み込むための補正用データを更新可能に記憶するＸ−ＯＶＥＲメモリ部３２Ｂ−１〜３２Ｂ−４を備えている。
【００６４】
また、ＴＩＭＥ−Ａメモリ［０］Ｍ１−３は、図７に示すように、各ＴＩＭＥ−Ａカレントメモリ部３１Ｃ−１〜３１Ｃ−８に読み込むための補正用データを更新可能に記憶するＴＩＭＥ−Ａメモリ部３２Ｃ−１〜３２Ｃ−８を備えている。
【００６５】
本実施形態では、複数のプリセットメモリ「ＭＥＭＯＲＹ１」、「ＭＥＭＯＲＹ２」及び「ＭＥＭＯＲＹ３」のうち、いずれか一つを選択して、その選択したプリセットメモリの補正用データの値をＲＡＭ３１に読み込むためのスイッチを備えている。例えば、図１に示す、アジャストスイッチ２１及び第１〜第３操作キー２２ａ〜２２ｃ等で選択可能に構成される。
【００６６】
また、本実施形態では、複数のプリセットメモリ「ＭＥＭＯＲＹ１」、「ＭＥＭＯＲＹ２」及び「ＭＥＭＯＲＹ３」のうち、いずれか一つを選択して、ＲＡＭ３１に記憶されている補正用データの値を選択したプリセットメモリに書き込むためのスイッチを備えている。例えば、図１に示す、アジャストスイッチ２１及び第１〜第３操作キー２２ａ〜２２ｃ等で選択可能に構成される。
【００６７】
以上の構成において、ユーザによりＰ．ＥＱモードからＢＡＳＳ／ＴＲＥＢモードに切り換えられた場合、及びＢＡＳＳ／ＴＲＥＢモードからＰ．ＥＱモードに切り換えられた場合について説明する。
【００６８】
図８は、ＣＰＵ３０によるモード切換処理を示すフローチャートであり、図９は、ＣＰＵ３０により実行されるモード切換処理を示す説明図である。
【００６９】
まず、ＣＰＵ３０は、ユーザにより、Ｐ．ＥＱモードからＢＡＳＳ／ＴＲＥＢモードに切り換える操作がなされたか、ＢＡＳＳ／ＴＲＥＢモードからＰ．ＥＱモードに切り換える操作がなされたかを判断する（ステップＳ１）。
【００７０】
このステップＳ１において、ＢＡＳＳ／ＴＲＥＢモードからＰ．ＥＱモードに切り換える操作がなされたと判断した場合、つまり、図９におけるステップＳａ２からステップＳａ１に切り換える場合、ＣＰＵ３０は、ＥＱカレントメモリ３１Ａの内容（補正用データの値）を、ＢＡＳＳ／ＴＲＥＢテンポラリメモリ３１Ｅに待避させる（図８中、ステップＳ２）。
【００７１】
具体的に説明すると、ＢＡＳＳ／ＴＲＥＢモードに設定されている場合は、ＥＱカレントメモリ３１ＡにおけるＥＱカレントメモリ部３１Ａ−１及び３１−６の補正用データの値は同一に設定されており、ＥＱカレントメモリ３１ＡにおけるＥＱカレントメモリ部３１Ａ−３及び３１−８の補正用データの値は同一に設定されている。
【００７２】
つまり、ＥＱカレントメモリ３１ＡにおけるＥＱカレントメモリ部３１Ａ−１又は３１−６の補正用データの値を変更する操作がなされた場合は、ＣＰＵ３０は、ＥＱカレントメモリ部３１Ａ−１及び３１−６の補正用データの値を変更する。同様に、ＥＱカレントメモリ３１ＡにおけるＥＱカレントメモリ部３１Ａ−３又は３１−８の補正用データの値を変更する操作がなされた場合は、ＣＰＵ３０は、ＥＱカレントメモリ部３１Ａ−３及び３１−８の補正用データの値を変更する。
【００７３】
そして、ＣＰＵ３０は、ユーザ操作により、ＢＡＳＳ／ＴＲＥＢモードからＰ．ＥＱモードに切り換えられたと判断した場合、ＥＱカレントメモリ部３１Ａ−１或いは３１−６に記憶されているいずれか一方の補正用データの値を、ＢＡＳＳ／ＴＲＥＢテンポラリメモリ３１ＥのＢＡＳＳテンポラリメモリ部３１Ｅ−１に待避させるとともに、ＥＱカレントメモリ部３１Ａ−３或いは３１−８に記憶されているいずれか一方の補正用データの値を、ＢＡＳＳ／ＴＲＥＢテンポラリメモリ３１ＥのＴＲＥＢテンポラリメモリ部３１Ｅ−２に待避させる。
【００７４】
更に、ＣＰＵ３０は、Ｐ．ＥＱテンポラリメモリ３１Ｄの内容（補正用データの値）を、ＥＱカレントメモリ３１Ａにコピーする（ステップＳ３）。つまり、ＥＱカレントメモリ３１Ａにおける補正用データの値を、Ｐ．ＥＱテンポラリメモリ３１Ｄに待避されている補正用データの値で更新する。
【００７５】
具体的に説明すると、ＣＰＵ３０は、ＥＱカレントメモリ３１ＡにおけるＥＱカレントメモリ部３１Ａ−１〜３１Ａ−１０のそれぞれに記憶されている補正用データの値を、Ｐ．ＥＱテンポラリメモリ３１ＤにおけるＰ．ＥＱテンポラリメモリ部３１Ｄ−１〜３１Ｄ−１０のそれぞれに待避されている補正用データの値で更新する。
【００７６】
次に、ＣＰＵ３０は、ＥＱカレントメモリ３１Ａの補正用データをＤＳＰ４に転送するＤＳＰ転送処理を行う（ステップＳ４）。つまり、ＣＰＵ３０は、ＥＱカレントメモリ３１Ａの内容（補正用データの値）をＤＳＰ４に転送する。これによって、ＢＡＳＳ／ＴＲＥＢモードからＰ．ＥＱモードに切り換わる。
【００７７】
また、図８におけるステップＳ１において、ユーザにより、Ｐ．ＥＱモードからＢＡＳＳ／ＴＲＥＢモードに切り換える操作がなされたと判断した場合、つまり、図９におけるステップＳａ１からステップＳａ２に切り換わる場合、ＣＰＵ３０は、ＥＱカレントメモリ３１Ａの内容（補正用データの値）を、Ｐ．ＥＱテンポラリメモリ３１Ｄに待避させる（図８中、ステップＳ５）。
【００７８】
具体的に説明すると、ＥＱカレントメモリ３１ＡにおけるＥＱカレントメモリ部３１Ａ−１〜３１Ａ−１０のそれぞれに記憶されている補正用データの値を、Ｐ．ＥＱテンポラリメモリ３１ＤにおけるＰ．ＥＱテンポラリメモリ部３１Ｄ−１〜３１Ｄ−１０のそれぞれに待避させる。
【００７９】
更に、ＣＰＵ３０は、ＢＡＳＳ／ＴＲＥＢテンポラリメモリ３１Ｅの内容（補正用データの値）を、ＥＱカレントメモリ３１Ａにコピーする（ステップＳ６）。つまり、ＥＱカレントメモリ３１Ａにおける補正用データの値を、ＢＡＳＳ／ＴＲＥＢテンポラリメモリ３１Ｅに待避されている補正用データの値で更新する。
【００８０】
具体的に説明すると、ＣＰＵ３０は、ＥＱカレントメモリ３１ＡのＥＱカレントメモリ部３１Ａ−１及び３１−６のそれぞれに記憶されている補正用データの値を、ＢＡＳＳ／ＴＲＥＢテンポラリメモリ３１ＥのＢＡＳＳテンポラリメモリ部３１Ｅ−１に待避されている補正用データの値で更新するとともに、ＥＱカレントメモリ３１ＡのＥＱカレントメモリ部３１Ａ−３及び３１−８のそれぞれに記憶されている補正用データの値を、ＢＡＳＳ／ＴＲＥＢテンポラリメモリ３１ＥのＴＲＥＢテンポラリメモリ部３１Ｅ−２に待避されている補正用データの値で更新する。
【００８１】
次に、ＣＰＵ３０は、ＥＱカレントメモリ３１Ａの補正用データをＤＳＰ４に転送するＤＳＰ転送処理を行う（ステップＳ４）。つまり、ＣＰＵ３０は、ＥＱカレントメモリ３１Ａの内容（補正用データの値）をＤＳＰ４に転送する。これによって、Ｐ．ＥＱモードからＢＡＳＳ／ＴＲＥＢモードに切り換わる。
【００８２】
以上、Ｐ．ＥＱモード及びＢＡＳＳ／ＴＲＥＢモードの双方において、ＥＱカレントメモリ３１Ａが共用されることとなる。つまり、ＥＱカレントメモリ３１Ａには、Ｐ．ＥＱモードにおいてのみ使用されるＰ．ＥＱモード専用の補正用データ（ＥＱ専用補正用データ）の値、又は、ＢＡＳＳ／ＴＲＥＢモードにおいてのみ使用されるＢＡＳＳ／ＴＲＥＢモード専用の補正用データ（ＢＡＳＳ／ＴＲＥＢ専用補正用データ）の値が記憶されることとなる。これによって、ＢＡＳＳ／ＴＲＥＢ専用補正用データを記憶するためのカレントメモリを設ける必要がなく、記憶領域を有効に利用できるとともに、モードに応じてＤＳＰ４に補正用データの値を転送する際の制御も簡単となる。
【００８３】
次に、ユーザにより、ＥＥＰＲＯＭ３２の複数のプリセットメモリ「ＭＥＭＯＲＹ１」、「ＭＥＭＯＲＹ２」及び「ＭＥＭＯＲＹ３」のうち、いずれか一つのプリセットメモリが選択されて、その選択されたプリセットメモリに、ＲＡＭ３１に記憶されている補正用データの値を書き込む処理動作について説明する。
【００８４】
ここで、ＲＡＭ３１に記憶されている補正用データの値をＥＥＰＲＯＭ３２に書き込むのは、ユーザが調整した補正用データの値を、ＥＥＰＲＯＭ３２に保存する場合等である。
【００８５】
図１０は、ＣＰＵ３０による補正用データのＥＥＰＲＯＭ３２への書込処理を示すフローチャートであり、図１１及び図１２は、ＣＰＵ３０による書込処理を示す説明図である。
【００８６】
まず、ＣＰＵ３０は、現在設定されているモードが、Ｐ．ＥＱモードであるか、ＢＡＳＳ／ＴＲＥＢモードであるかを判断する（ステップＳ１１）。つまり、ＥＥＰＲＯＭ３２におけるＰ．ＥＱメモリ［ｉ］Ｍ１−１、Ｍ２−１及びＭ３−１（ｉ＝０、１、２）に記憶される補正用データは、ＥＱ専用補正用データであるので、ＥＥＰＲＯＭ３２に書き込む前に現在設定されているモードを判断している。
【００８７】
このステップＳ１１においてＰ．ＥＱモードに設定されていると判断した場合、ＣＰＵ３０は、ＥＱカレントメモリ３１Ａの内容（補正用データの値）をＰ．ＥＱメモリ［ｉ］Ｍ１−１、Ｍ２−１又はＭ３−１（ｉ＝０、１、２）に書き込む処理を行う（ステップＳ１２；書換手段）。つまり、ＣＰＵ３０は、ユーザにより選択されたＰ．ＥＱメモリ［ｉ］Ｍ１−１、Ｍ２−１又はＭ３−１（ｉ＝０、１、２）に記憶されている補正用データの値を、ＥＱカレントメモリ３１Ａに記憶されている補正用データの値で更新する。
【００８８】
例えば、ユーザによりプリセットメモリ「ＭＥＭＯＲＹ１」を更新する操作が行われた場合について、具体的に説明すると、ＣＰＵ３０は、図１１に示すように、ユーザにより選択されたＰ．ＥＱメモリ［０］Ｍ１−１における各Ｐ．ＥＱメモリ部３２Ａ−１〜３２Ａ−１０に記憶されている補正用データの値を、ＥＱカレントメモリ３１Ａにおける各ＥＱカレントメモリ部３１Ａ−１〜３１Ａ−１０に記憶されている補正用データの値で更新する。なお、ユーザによりプリセットメモリ「ＭＥＭＯＲＹ２」或いはプリセットメモリ「ＭＥＭＯＲＹ３」を更新する操作が行われた場合についても同様に動作するので説明を省略する。
【００８９】
次に、ＣＰＵ３０は、Ｘ−ＯＶＥＲカレントメモリ３１Ｂの内容（補正用データの値）をＸ−ＯＶＥＲメモリ［ｉ］Ｍ１−２、Ｍ２−２又はＭ３−２（ｉ＝０、１、２）に書き込む処理を行う（ステップＳ１３；書換手段）。つまり、ＣＰＵ３０は、ユーザにより選択されたＸ−ＯＶＥＲメモリ［ｉ］Ｍ１−２、Ｍ２−２又はＭ３−２（ｉ＝０、１、２）に記憶されている補正用データの値を、Ｘ−ＯＶＥＲカレントメモリ３１Ｂに記憶されている補正用データの値で更新する。
【００９０】
例えば、ユーザによりプリセットメモリ「ＭＥＭＯＲＹ１」を更新する操作が行われた場合について、具体的に説明すると、ＣＰＵ３０は、図１１に示すように、ユーザにより選択されたＸ−ＯＶＥＲメモリ［０］Ｍ１−２における各Ｘ−ＯＶＥＲメモリ部３２Ｂ−１〜３２Ｂ−４に記憶されている補正用データの値を、Ｘ−ＯＶＥＲカレントメモリ３１Ｂにおける各Ｘ−ＯＶＥＲカレントメモリ部３１Ｂ−１〜３１Ｂ−４に記憶されている補正用データの値で更新する。なお、ユーザによりプリセットメモリ「ＭＥＭＯＲＹ２」或いはプリセットメモリ「ＭＥＭＯＲＹ３」を更新する操作が行われた場合についても同様に動作するので説明を省略する。
【００９１】
次に、ＣＰＵ３０は、ＴＩＭＥ−Ａカレントメモリ３１Ｃの内容（補正用データの値）をＴＩＭＥ−Ａメモリ［ｉ］Ｍ１−３、Ｍ２−３又はＭ３−３（ｉ＝０、１、２）に書き込む処理を行う（ステップＳ１４；書換手段）。つまり、ＣＰＵ３０は、ユーザにより選択されたＴＩＭＥ−Ａメモリ［ｉ］Ｍ１−３、Ｍ２−３又はＭ３−３（ｉ＝０、１、２）に記憶されている補正用データの値を、ＴＩＭＥ−Ａカレントメモリ３１Ｃに記憶されている補正用データの値で更新する。
【００９２】
例えば、ユーザによりプリセットメモリ「ＭＥＭＯＲＹ１」を更新する操作が行われた場合について、具体的に説明すると、ＣＰＵ３０は、図１１に示すように、ユーザにより選択されたＴＩＭＥ−Ａメモリ［０］Ｍ１−３における各ＴＩＭＥ−Ａメモリ部３２Ｃ−１〜３２Ｃ−８に記憶されている補正用データの値を、ＴＩＭＥ−Ａカレントメモリ３１Ｃにおける各ＴＩＭＥ−Ａカレントメモリ部３１Ｃ−１〜３１Ｃ−８に記憶されている補正用データの値で更新する。なお、ユーザによりプリセットメモリ「ＭＥＭＯＲＹ２」或いはプリセットメモリ「ＭＥＭＯＲＹ３」を更新する操作が行われた場合についても同様に動作するので説明を省略する。
【００９３】
ステップＳ１１において、ＢＡＳＳ／ＴＲＥＢモードに設定されていると判断した場合、ＣＰＵ３０は、ステップＳ１２を飛ばしてステップＳ１３の処理に移行する。具体的には、ＣＰＵ３０は、図１２に示すように、ＢＡＳＳ／ＴＲＥＢモードにおいてＥＥＰＲＯＭ３２のＰ．ＥＱメモリ［ｉ］Ｍ１−１、Ｍ２−１又はＭ３−１（ｉ＝０、１、２）に記憶されている補正用データの値の更新を禁止している（禁止手段）。
【００９４】
つまり、Ｘ−ＯＶＥＲメモリ［ｉ］Ｍ１−２、Ｍ２−２及びＭ３−２、並びに、ＴＩＭＥ−Ａメモリ［ｉ］Ｍ１−３、Ｍ２−３、Ｍ３−３（ｉ＝０、１、２）に記憶されている補正用データは、Ｐ．ＥＱモード及びＢＡＳＳ／ＴＲＥＢモードにおいてオーディオ信号の特性の補正に用いられる共通補正用データであり、Ｐ．ＥＱメモリ［ｉ］Ｍ１−１、Ｍ２−１及びＭ３−１（ｉ＝０、１、２）に記憶されている補正用データは、Ｐ．ＥＱモードにおいてのみオーディオ信号の特性の補正に用いられるＥＱ専用補正用データである。
【００９５】
従って、Ｐ．ＥＱモード及びＢＡＳＳ／ＴＲＥＢモードの双方において、ＥＥＰＲＯＭ３２のＸ−ＯＶＥＲメモリ［ｉ］Ｍ１−２、Ｍ２−２及びＭ３−２、並びに、ＴＩＭＥ−Ａメモリ［ｉ］Ｍ１−３、Ｍ２−３、Ｍ３−３（ｉ＝０、１、２）に記憶されている共通補正用データの値が、ＲＡＭ３１のＸ−ＯＶＥＲカレントメモリ３１Ｂ及びＴＩＭＥ−Ａカレントメモリ３１Ｃに記憶されている共通補正用データの値で更新される。そして、ＢＡＳＳ／ＴＲＥＢモードにおいては、Ｐ．ＥＱメモリ［ｉ］Ｍ１−１、Ｍ２−１及びＭ３−１（ｉ＝０、１、２）に記憶されている補正用データが、ＲＡＭ３１のＥＱカレントメモリ３１Ａに記憶されている補正用データの値（即ち、ＢＡＳＳ／ＴＲＥＢモードに対応した補正用データの値）で更新されるのが禁止される。
【００９６】
これによって、ＢＡＳＳ／ＴＲＥＢモードにおいて、Ｐ．ＥＱメモリ［ｉ］Ｍ１−１、Ｍ２−１及びＭ３−１（ｉ＝０、１、２）に、ＢＡＳＳ／ＴＲＥＢ専用補正用データが書き込まれるのを回避することができるので、Ｐ．ＥＱモードに設定されている場合にＰ．ＥＱメモリ［ｉ］Ｍ１−１、Ｍ２−１又はＭ３−１（ｉ＝０、１、２）に保存されている補正用データを読み出しても、ＲＡＭ３１におけるＥＱカレントメモリ３１Ａの補正用データの値が、ＢＡＳＳ／ＴＲＥＢ専用補正用データの値に書き換えられることはないので、補正用データの誤設定を回避することができる。
【００９７】
次に、ユーザにより、ＥＥＰＲＯＭ３２の複数のプリセットメモリ「ＭＥＭＯＲＹ１」、「ＭＥＭＯＲＹ２」及び「ＭＥＭＯＲＹ３」のうち、いずれか一つのプリセットメモリが選択されて、その選択されたプリセットメモリから、補正用データの値をＲＡＭ３１に読み込む処理動作について説明する。ここで、ＥＥＰＲＯＭ３２に記憶されている補正用データの値をＲＡＭ３１に読み込む場合としては、例えば、ＥＥＰＲＯＭ３２に保存しておいた補正用データを呼び出す場合である。
【００９８】
つまり、ＲＡＭ３１に記憶されている補正用データの値は、電源遮断後、再び電源が投入された場合には、初期値に設定されるので、ＥＥＰＲＯＭ３２に保存しておいた補正用データの値を、ＲＡＭ３１に読み込む必要があるためである。
【００９９】
図１３は、ＣＰＵ３０による補正用データのＥＥＰＲＯＭ３２からの読込処理を示すフローチャートであり、図１４及び図１５は、ＣＰＵ３０による読込処理を示す説明図である。
【０１００】
まず、ＣＰＵ３０は、現在設定されているモードが、Ｐ．ＥＱモードであるか、ＢＡＳＳ／ＴＲＥＢモードであるかを判断する（ステップＳ２１）。
【０１０１】
ステップＳ２１においてＰ．ＥＱモードに設定されていると判断した場合、ＣＰＵ３０は、Ｐ．ＥＱメモリ［ｉ］Ｍ１−１、Ｍ２−１又はＭ３−１（ｉ＝０、１、２）の内容（補正用データの値）を、ＥＱカレントメモリ３１Ａに読み込む処理を行う（ステップＳ２２；読込手段）。つまり、ＣＰＵ３０は、ユーザにより選択されたＰ．ＥＱメモリ［ｉ］Ｍ１−１、Ｍ２−１又はＭ３−１（ｉ＝０、１、２）に記憶されている補正用データの値を、ＥＱカレントメモリ３１Ａに読み込む。
【０１０２】
例えば、ユーザによりプリセットメモリ「ＭＥＭＯＲＹ１」の補正用データをＲＡＭ３１に読み込む操作が行われた場合について、具体的に説明すると、ＣＰＵ３０は、図１４に示すように、ユーザにより選択されたＰ．ＥＱメモリ［０］Ｍ１−１における各Ｐ．ＥＱメモリ部３２Ａ−１〜３２Ａ−１０に記憶されている補正用データの値を、ＥＱカレントメモリ３１Ａにおける各ＥＱカレントメモリ部３１Ａ−１〜３１Ａ−１０に読み込む。なお、ユーザによりプリセットメモリ「ＭＥＭＯＲＹ２」或いはプリセットメモリ「ＭＥＭＯＲＹ３」の補正用データをＲＡＭ３１に読み込む操作が行われた場合についても同様に動作するので説明を省略する。
【０１０３】
次に、ＣＰＵ３０は、Ｘ−ＯＶＥＲメモリ［ｉ］Ｍ１−２、Ｍ２−２又はＭ３−２（ｉ＝０、１、２）の内容（補正用データの値）を、Ｘ−ＯＶＥＲカレントメモリ３１Ｂに読み込む処理を行う（ステップＳ２３；読込手段）。つまり、ＣＰＵ３０は、ユーザにより選択されたＸ−ＯＶＥＲメモリ［ｉ］Ｍ１−２、Ｍ２−２又はＭ３−２（ｉ＝０、１、２）に記憶されている補正用データの値を、Ｘ−ＯＶＥＲカレントメモリ３１Ｂに読み込む。
【０１０４】
例えば、ユーザによりプリセットメモリ「ＭＥＭＯＲＹ１」の補正用データをＲＡＭ３１に読み込む操作が行われた場合について、具体的に説明すると、ＣＰＵ３０は、図１４に示すように、ユーザにより選択されたＸ−ＯＶＥＲメモリ［０］Ｍ１−２における各Ｘ−ＯＶＥＲメモリ部３２Ｂ−１〜３２Ｂ−４に記憶されている補正用データの値を、Ｘ−ＯＶＥＲカレントメモリ３１Ｂにおける各Ｘ−ＯＶＥＲカレントメモリ部３１Ｂ−１〜３１Ｂ−４に読み込む。なお、ユーザによりプリセットメモリ「ＭＥＭＯＲＹ２」或いはプリセットメモリ「ＭＥＭＯＲＹ３」の補正用データをＲＡＭ３１に読み込む操作が行われた場合についても同様に動作するので説明を省略する。
【０１０５】
次に、ＣＰＵ３０は、ＴＩＭＥ−Ａメモリ［ｉ］Ｍ１−３、Ｍ２−３又はＭ３−３（ｉ＝０、１、２）の内容（補正用データの値）を、ＴＩＭＥ−Ａカレントメモリ３１Ｃ読み込む処理を行う（ステップＳ２４；読込手段）。つまり、ＣＰＵ３０は、ユーザにより選択されたＴＩＭＥ−Ａメモリ［ｉ］Ｍ１−３、Ｍ２−３又はＭ３−３（ｉ＝０、１、２）に記憶されている補正用データの値を、ＴＩＭＥ−Ａカレントメモリ３１Ｃに読み込む。
【０１０６】
例えば、ユーザによりプリセットメモリ「ＭＥＭＯＲＹ１」の補正用データをＲＡＭ３１に読み込む操作が行われた場合について、具体的に説明すると、ＣＰＵ３０は、図１４に示すように、ユーザにより選択されたＴＩＭＥ−Ａメモリ［０］Ｍ１−３における各ＴＩＭＥ−Ａメモリ部３２Ｃ−１〜３２Ｃ−８に記憶されている補正用データの値を、ＴＩＭＥ−Ａカレントメモリ３１Ｃにおける各ＴＩＭＥ−Ａカレントメモリ部３１Ｃ−１〜３１Ｃ−８に読み込む。なお、ユーザによりプリセットメモリ「ＭＥＭＯＲＹ２」或いはプリセットメモリ「ＭＥＭＯＲＹ３」の補正用データをＲＡＭ３１に読み込む操作が行われた場合についても同様に動作するので説明を省略する。
【０１０７】
次に、ＣＰＵ３０は、ＥＱカレントメモリ３１Ａの補正用データをＤＳＰ４に転送するＤＳＰ転送処理を行う（ステップＳ２５）。つまり、ＣＰＵ３０は、ＥＱカレントメモリ３１Ａの内容（補正用データの値）をＤＳＰ４に転送する。
【０１０８】
次に、ＣＰＵ３０は、Ｘ−ＯＶＥＲカレントメモリ３１Ｂの補正用データをＤＳＰ４に転送するＤＳＰ転送処理を行う（ステップＳ２６）。つまり、ＣＰＵ３０は、Ｘ−ＯＶＥＲカレントメモリ３１Ｂの内容（補正用データの値）をＤＳＰ４に転送する。
【０１０９】
次に、ＣＰＵ３０は、ＴＩＭＥ−Ａカレントメモリ３１Ｃの補正用データをＤＳＰ４に転送するＤＳＰ転送処理を行う（ステップＳ２７）。つまり、ＣＰＵ３０は、ＴＩＭＥ−Ａカレントメモリ３１Ｃの内容（補正用データの値）をＤＳＰ４に転送する。
【０１１０】
ステップＳ２１において、ＢＡＳＳ／ＴＲＥＢモードに設定されていると判断した場合、ＣＰＵ３０は、Ｐ．ＥＱメモリ［ｉ］Ｍ１−１、Ｍ２−１又はＭ３−１（ｉ＝０、１、２）の内容（補正用データの値）を、Ｐ．ＥＱテンポラリメモリ３１Ｄに読み込むとともに、ＥＱカレントメモリ３１Ａの補正用データの値は、そのまま保持し（ステップＳ２８）、ステップＳ２３の処理に移行する。つまり、ＣＰＵ３０は、ＥＥＰＲＯＭ３２のＰ．ＥＱメモリ［ｉ］Ｍ１−１、Ｍ２−１又はＭ３−１（ｉ＝０、１、２）に記憶されている補正用データの値を、Ｐ．ＥＱテンポラリメモリ３１Ｄに待避させるとともに、ＥＱカレントメモリ３１Ａの補正用データの値は、そのまま保持する。
【０１１１】
例えば、ユーザによりプリセットメモリ「ＭＥＭＯＲＹ１」の補正用データをＲＡＭ３１に読み込む操作が行われた場合について、具体的に説明すると、ＣＰＵ３０は、図１５に示すように、ユーザにより選択されたＸ−ＯＶＥＲメモリ［０］Ｍ１−２及びＴＩＭＥ−Ａメモリ［０］Ｍ１−３に記憶されている補正用データの値を、Ｘ−ＯＶＥＲカレントメモリ３１Ｂ及びＴＩＭＥ−Ａカレントメモリ３１Ｃに読み込むとともに、Ｐ．ＥＱメモリ［０］Ｍ１−１に記憶されている補正用データの値を、Ｐ．ＥＱテンポラリメモリ３１Ｄに読み込み、ＥＱカレントメモリ３１Ａの補正用データの値は、ＢＡＳＳ／ＴＲＥＢモードに対応した値であるので、そのまま保持している。
【０１１２】
つまり、Ｘ−ＯＶＥＲメモリ［ｉ］Ｍ１−２、Ｍ２−２及びＭ３−２、並びに、ＴＩＭＥ−Ａメモリ［ｉ］Ｍ１−３、Ｍ２−３、Ｍ３−３（ｉ＝０、１、２）に記憶されている補正用データは、Ｐ．ＥＱモード及びＢＡＳＳ／ＴＲＥＢモードにおいてオーディオ信号の特性の補正に用いられる共通補正用データであり、Ｐ．ＥＱメモリ［ｉ］Ｍ１−１、Ｍ２−１及びＭ３−１（ｉ＝０、１、２）に記憶されている補正用データは、Ｐ．ＥＱモードにおいてのみオーディオ信号の特性の補正に用いられるＥＱ専用補正用データである。そして、補正用データをＲＡＭ３１に読み込む際には、Ｐ．ＥＱモード及びＢＡＳＳ／ＴＲＥＢモードの双方において、共通補正用データの値が、Ｘ−ＯＶＥＲカレントメモリ３１Ｂ及びＴＩＭＥ−Ａカレントメモリ３１Ｃに読み込まれ、ＥＱ専用補正用データの値が、Ｐ．ＥＱテンポラリメモリ３１Ｄに読み込まれて、ＥＱカレントメモリ３１Ａの補正用データの値は、ＢＡＳＳ／ＴＲＥＢモードに対応した値にそのまま保持されることとなる。
【０１１３】
従って、ＢＡＳＳ／ＴＲＥＢモードにおいてＥＱ専用補正用データの値がＲＡＭ３１のＥＱカレントメモリ３１Ａに読み込まれるのを回避することができるので、補正用データの誤設定を回避することができる。
【０１１４】
以上、一実施形態に基づいて本発明を説明したが、本発明は、これに限定されるものではない。
【０１１５】
例えば、上記実施形態では、車載オーディオ装置の制御プログラムをＥＥＰＲＯＭに記憶している場合について説明したが、各種磁気ディスク、光ディスク、メモリカードなどの記録媒体に制御プログラムを予め記録し、これらの記録媒体から読み込み、インストールするように構成することも可能である。また、通信インターフェースを設け、インターネット、ＬＡＮなどのネットワークを介して制御プログラムをダウンロードし、インストールして実行するように構成することも可能である。
【図面の簡単な説明】
【０１１６】
【図１】本実施形態にかかるオーディオ装置の機能的構成を示すブロック図である。
【図２】オーディオ装置の外観を示す正面図である。
【図３】コントローラの構成を示すブロック図である。
【図４】ＤＳＰの構成を示す機能ブロック図である。
【図５】コントローラにおけるＲＡＭ及びＥＥＰＲＯＭに記憶されるオーディオ信号の特性の補正に用られる補正用データを示す説明図である。
【図６】コントローラにおけるＲＡＭ及びＥＥＰＲＯＭに記憶されるオーディオ信号の特性の補正に用られる補正用データを示す説明図である。
【図７】コントローラにおけるＲＡＭ及びＥＥＰＲＯＭに記憶されるオーディオ信号の特性の補正に用られる補正用データを示す説明図である。
【図８】ＣＰＵによるモード切換処理を示すフローチャートである。
【図９】ＣＰＵにより実行されるモード切換処理を示す説明図である。
【図１０】ＣＰＵによる補正用データのＥＥＰＲＯＭへの書込処理を示すフローチャートである。
【図１１】ＣＰＵによる書込処理を示す説明図である。
【図１２】ＣＰＵによる書込処理を示す説明図である。
【図１３】ＣＰＵによる補正用データのＥＥＰＲＯＭからの読込処理を示すフローチャートである。
【図１４】ＣＰＵによる読込処理を示す説明図である。
【図１５】ＣＰＵによる読込処理を示す説明図である。
【符号の説明】
【０１１７】
１  車載オーディオ装置（オーディオ装置）
４  ＤＳＰ
１１  コントローラ
３０  ＣＰＵ（モード切換手段、書換手段、禁止手段、読込手段）
３１  ＲＡＭ（第１記憶手段、第１待避手段、第２待避手段）
３２  ＥＥＰＲＯＭ（第２記憶手段）
【図１】
2005197863.tif 000003
【図２】
2005197863.tif 000004
【図３】
2005197863.tif 000005
【図４】
2005197863.tif 000006
【図５】
2005197863.tif 000007
【図６】
2005197863.tif 000008
【図７】
2005197863.tif 000009
【図８】
2005197863.tif 000010
【図９】
2005197863.tif 000011
【図１０】
2005197863.tif 000012
【図１１】
2005197863.tif 000013
【図１２】
2005197863.tif 000014
【図１３】
2005197863.tif 000015
【図１４】
2005197863.tif 000016
【図１５】
2005197863.tif 000017